(57)【特許請求の範囲】
【請求項１】
同報通信標識ビット・ストリームのビット指数に同報通信メッセージのカテゴリを関連させること;
前記ビット指数に位置する同報通信標識ビット・ストリーム中の１以上のビットを受信するために周期的な基準によって呼び起こすこと;
前記１以上のビットを受信すること;
前記１以上の各ビットをオンまたはオフ値と比較すること;及び
所定の時間間隔により前記同報通信標識ビット・ストリームに後続する符号化ビット・ストリームを続いて受信及び復号すべきかどうかを前記比較から決定すること、
を含むスペクトラム拡散無線通信システムにおいて同報通信メッセージを受信する方法。
【請求項２】
カテゴリを関連させるステップは、前記ビット指数を決定するため所定のハッシュ機能により同報通信メッセージの所望のカテゴリをハッシュするステップをさらに含む請求項１の方法。
【請求項３】
前記１以上のビットを受信するステップは無符号化、オン−オフ・キーイング変調直接シーケンス・スペクトラム拡散信号を復調するステップをさらに含む請求項１の方法。
【請求項４】
前記１以上のビットを受信した後、前記１以上のビットと同じチャンネル上で１以上の入来ページ標識ビットを受信するステップをさらに含む請求項１の方法。
【請求項５】
前記１以上のビットを受信するステップは、改良された迅速なページング・チャンネル上で第一の信号を復調するステップをさらに含む請求項４の方法。
【請求項６】
１以上の入来ページ・ビットを受信するステップは、前記第一の信号を復調した後、前記改良された迅速なページング・チャンネル上で第二の信号を復調するステップをさらに含む請求項５の方法。
【請求項７】
前記１以上のビットを受信するステップは、改良された迅速なページング・チャンネル上で被覆方法で前記１以上のビット及び前記１以上のページ標識ビットを受信するステップをさらに含む請求項４の方法。
【請求項８】
前記１以上のビットを受信するステップは、迅速なページング・チャンネルに直交する補助チャンネル上で第一の信号を復調するステップをさらに含む請求項１の方法。
【請求項９】
迅速なページング・チャンネル上で１以上の入来ページ標識ビットを受信するステップをさらに含み、１以上の入来ページ標識ビットを受信するステップが迅速なページング・チャンネル上で第二の信号を復調するサブステップを含む請求項８の方法。
【請求項１０】
ビット指数を決定するため所定のハッシュ機能を介して同報通信メッセージの所望のカテゴリをハッシュすることによりカテゴリを同報通信標識ビット・ストリームの前記ビット指数と関連させること；
前記ビット指数に位置する同報通信標識ビット・ストリーム中の１以上のビットを受信するために周期的な基準によって呼び起こすこと;
改良された前記迅速なページング・チャンネル上で前記１以上のビットを受信すること;
前記改良された前記迅速なページング・チャンネル上で１以上の入来ページ標識ビットを受信すること;
前記１以上の各ビット及び前記１以上の各入来ページ標識ビットをオンまたはオフ値と比較すること;
所定の時間間隔により前記同報通信標識ビット・ストリームに後続する符号化ビット・ストリームを続いて受信及び復号すべきかどうかを前記比較から決定すること、
を含む拡散スペクトル無線通信システムにおいて同報通信メッセージを受信する方法。
【請求項１１】
改良された迅速なページング・チャンネル上で前記１以上のビットを受信するステップは、無符号化、オン−オフ・キーイング変調直接シーケンス・スペクトラム拡散信号を復調するステップをさらに含む請求項１０の方法。
【請求項１２】
ａ）第一の時間スロットの始まりの前に前記第一の時間スロット間に送信される同報通信メッセージのカテゴリを決定すること;
ｂ）ステップａ）からの同報通信メッセージの前記所定のカテゴリに基づいて所定の長さの同報通信標識ビット・ストリームに関連するために０以上のビット指数を決定すること;
ｃ）前記ビット指数に位置するビットがオン値に設定され、前記同報通信標識ビット・ストリーム中の他の全てのビットがオフ値に設定される同報通信標識ビット・ストリームを生成すること；
ｄ）前記第一の時間スロットの前に生じる第二の時間スロット間に前記同報通信標識ビット・ストリームを送信すること、ここで前記第二の時間スロットは前記第1の時間スロットに所定の間隔だけ先行する；及び
ｅ）同報通信メッセージの前記カテゴリに対応する０以上の同報通信ポインタを含む符号化ビット・ストリームを前記第一の時間スロット間に、改良された迅速なページング・チャンネルおよび順方向同報通信標識チャンネル（F-BICH）のうちの１つ上で、送信すること、
を含む拡散スペクトル無線通信システムにおいて同報通信メッセージを送信する方法。
【請求項１３】
０以上のビット指数を決定するステップは、前記０以上のビット指数を決定するため所定のハッシュ機能によってステップａ）から同報通信メッセージのカテゴリをハッシュするステップをさらに含む請求項１２の方法。
【請求項１４】
入来ページ・ビット・ストリームを送信するステップをさらに含む請求項１３の方法。
【請求項１５】
入来ページ・ビット・ストリームを送信するステップは前記第一のチャンネル上で前記入来ページ・ビット・ストリームを送信するステップをさらに含み、前記第一のチャンネルは改良された迅速なページング・チャンネルである請求項１４の方法。
【請求項１６】
入来ページ・ビット・ストリームを送信するステップは前記第一のチャンネル上で前記入来ページ・ビット・ストリームを送信するステップをさらに含み、前記第一のチャンネルは迅速なページング・チャンネルである請求項１４の方法。
【請求項１７】
前記同報通信標識ビット・ストリームを送信するステップは、第二のチャンネル上で前記同報通信標識ビット・ストリームを送信するステップをさらに含み、前記第二のチャンネルは前記第一のチャンネルに直交する請求項１６の方法。
【請求項１８】
ａ）第一の時間スロットの始まりの前にハッシュすることにより前記第一の時間スロット間に送信される同報通信メッセージのカテゴリを決定すること;
ｂ）所定のハッシュ機能を介して同報通信メッセージの前記カテゴリをハッシュすることにより所定の長さの同報通信標識ビット・ストリームに関連するために０以上のビット指数を決定すること;
ｃ）前記ビット指数に位置するビットがオン値に設定され、前記同報通信標識ビット・ストリーム中の他の全てのビットがオフ値に設定される同報通信標識ビット・ストリームを生成すること；
ｄ）入来ページ・ビット・ストリームを生成すること；
ｅ）前記同報通信標識ビット・ストリームを前記入来ページ・ビット・ストリームに被せることにより被覆ビット・ストリームを生成すること；及び
ｆ）前記第一の時間スロットの前に生じる第二の時間スロット間に改良された迅速なページング・チャンネル上で前記被覆ビット・ストリームを送信すること、ここで前記第二の時間スロットは所定の間隔で前記第一の時間スロットに先行する、
を含む拡散スペクトル無線通信システムにおいて同報通信メッセージを送信する方法。
【請求項１９】
無線で送信される複数のビット・ストリームを生成するための制御プロセッサ;
誤り訂正を供与するためにビット・ストリームを畳み込み符号化するための畳み込み符号器;
前記畳み込み符号器により供給されたビット・ストリーム中のビットをインターリーブするブロック・インターリーブ器；
１以上の情報源から受信された拡散符号を掛け合わせる直交拡散ユニット；
前記直交拡散ユニットにより供給されたビット・ストリームを変調するためのディジタル変調器；
前記ディジタル変調器により供給された変調データ・ビットを無線で送信するためのＲＦ送信器；
前記制御プロセッサ、前記ブロック・インターリーブ器、前記ディジタル変調器、前記直交拡散ユニット、及び前記畳み込み符号器を相互に接続するための双方向バス；
前記ディジタル変調器を前記ＲＦ送信器に接続するためのバス；及び 前記制御プロセッサを前記ＲＦ送信器に接続するための制御線、
を含む同報通信標識ビット・ストリームを送信するための装置。
【請求項２０】
制御プロセッサは：
ａ）第一の時間スロットの始まりの前に前記第1の時間スロット間に送信される同報通信メッセージのカテゴリを決定する;
ｂ）ステップａ）からの同報通信メッセージの前記所定のカテゴリに基づいて所定の長さの同報通信標識ビット・ストリームに関連するために０以上のビット指数を決定する;
ｃ）前記ビット指数に位置するビットがオン値に設定され、前記同報通信標識ビット・ストリーム中の他の全てのビットがオフ値に設定される同報通信標識ビット・ストリームを生成する；及び
ｄ）前記第一の時間スロットの前に前記同報通信標識ビット・ストリームを前記直交拡散ユニットに供給する、ための制御プロセッサである請求項１９の装置。
【請求項２１】
変調されたデータ・ビットの無線送信を受信するＲＦ受信器；
前記ＲＦ受信器により供給されたビット・ストリームを復調するためのディジタル復調器; 前記ディジタル復調器により供給されたビット・ストリームに拡散符号を掛け合わせる直交拡散ユニット；
前記直交拡散ユニットにより供給されたビット・ストリーム中のビットを逆インタリーブするための逆ブロック・インタリーブ器；
前記逆ブロック・インタリーブ器により供給されたビット・ストリームを畳み込み復号するための畳み込み復号器；
複数のビット・ストリームを受信するための制御プロセッサ;
前記制御プロセッサ、前記逆ブロック・インタリーブ器、前記ディジタル復調器、前記直交拡散ユニット、及び前記畳み込み復号器を相互に接続するための双方向バス；
前記ディジタル復調器を前記ＲＦ受信器に接続するためのバス；及び 前記制御プロセッサを前記ＲＦ受信器に接続するためのバス、
を含む無線送信を受信するための装置。
【請求項２２】
制御プロセッサは：
ビット指数を決定するために所定のハッシュ機能を介して同報通信メッセージの所望のカテゴリをハッシュすることによりの前記ビット指数にカテゴリを関連させる;
前記ビット指数に位置する同報通信標識ビット・ストリーム中の１以上のビットを受信するために周期的な基準によってＲＦ受信器を呼び起こす；
前記１以上のビットを受信する;
前記１以上のビットの各々をオンまたはオフ値と比較する；
前記比較から前記第一の時間スロット後に生じる第二の時間スロットで同報通信メッセージを受信するかどうかを決める際に使用のため第一の時間スロットで符号化ビット・ストリームを続いて受信及び復号するために前記ＲＦ受信器及び前記畳み込み復号器を起動するかどうかを決定する、ための制御プロセッサである請求項２１の装置。
【発明の詳細な説明】
【０００１】
発明の背景技術
Ｉ．発明の技術分野
本発明は無線電気通信システムにおける同報通信データバースト・メッセージの送信および受信に関する。特に無線電気通信システムにおいて同報通信データバースト・メッセージの待機時間を増加させるための新規かつ改善された方法および装置に関する。
【０００２】
ＩＩ．関連技術の説明
“ｃｄｍａ２０００シリーズＴＩＡ／ＥＩＡ／ＩＳ２０００”と題し、１９９９年８月に発行された、米国電気通信工業会(ＴＩＡ)からのｃｄｍａ２０００セルラ電話規格提案は効率的で、高品質な電話サービスを提供するために高度な信号処理技術を使用し、引用文献としてここに組込まれている。例えば、ｃｄｍａ２０００準拠のセルラ電話システムは利用可能な無線周波数(ＲＦ)帯域幅をより効率的に利用し、かつより強固な接続を提供するために復号、誤り検出、順方向誤り訂正（ＦＥＲ）、インタリービング及びスペクトル拡散変調を利用する。一般的に、他の型のセルラ電話システムと比較したとき、ｃｄｍａ２０００により提供される利点は通話時間が長いことと、呼出し落ちが少ないことである。
【０００３】
通信を順序よく行うために、ｃｄｍａ２０００規格は異なる機能を有するデータが送信される高度に符号化されたチャンネルの集合を提供する。この高度に符号化されたチャンネルは、以後遠隔局と呼ばれる、セルラ電話あるいは他の型の無線端末に通信すべき入来要求が保留中であることを知らせるページング・メッセージを伝送するための、１以上の完全なページング・チャンネルを含む。完全なページング・チャンネルはさらに以下に述べられる。さらに、ｃｄｍａ２０００は遠隔局の待機時間を拡大するために、以下でさらに述べるように、高度に符号化されてないチャンネル、即ち迅速なページング・チャンネルであるチャンネルを提供する。ｃｄｍａ２０００リリースＡとしばしば呼ばれる、ｃｄｍａ２０００の新版は現在票決中である。ｃｄｍａ２０００リリースＡの票決版は次の六つのＴＩＡ文書：ＰＮ−４６９３、ＰＮ−４６９４、ＰＮ−４６９５、ＰＮ−４６９６、ＰＮ−４６９７、及びＰＮ−４６９８の１９９９年１２月版で見ることができる。これらの各文書はここに引用文献として組み込まれている。このｃｄｍａ２０００リリースＡの票決版はこれ以後ｃｄｍａ２０００Ａとして引用される。ｃｄｍａ２０００Ａは順方向共通制御機構チャンネル（Ｆ−ＣＣＣＨ）及び順方向同報通信チャンネル（Ｆ−ＢＣＣＨ）を導入する。ｃｄｍａ２０００の完全なページング・チャンネルは一般的なページ・メッセージ(以下に議論する)と同報通信データバースト・メッセージの両方を伝送するために完全なページング・チャンネルを使用するが、ｃｄｍａ２０００Ａは一般的なページ・メッセージを伝送するためにＦ−ＣＣＣＨを使用し、同報通信データバースト・メッセージを伝送するためにＦ−ＢＣＣＨを使用する。本発明はｃｄｍａ２０００システム及びｃｄｍａ２０００Ａシステムの両方に関するものである。
【０００４】
第１図は本発明を実装するために使用できる簡略化したセルラ電話システムのブロック図である。遠隔局１０(典型的なセルラ電話)といった遠隔局は基地局１２中に位置している。遠隔局１０ａ及び１０ｂは稼動モードにあり、したがってｃｄｍａ２０００規格のＣＤＭＡ信号処理技術にしたがって変調された無線周波数（ＲＦ）信号を使用して１以上の基地局１２と接続されている。ＣＤＭＡ変調にしたがってＲＦ信号を変調するシステム及び方法は本発明の譲請人に譲渡され、ここに引用文献により組込まれている“ＣＤＭＡセルラ電話システムにおいて信号波形を生成するシステム及び方法（System and Method for Generating Signal Waveforms in a CDMA Cellular Telephone System）”と題する米国特許第５，１０３，４５９号に記載されている。他の遠隔局１０は待機モードにあり、したがって通信すべき要求を指示するページ・メッセージについての完全なページング・チャンネルを監視するか、またはメッセージが完全なページング・チャンネル上で予想されるかどうかを指示する標識（ｉｎｄｉｃａｔｏｒ）ビットに関する迅速なページング・チャンネルを監視する。典型的な迅速なページング・チャンネルは“迅速なページング・チャンネルを使用して待機時間を最大化する方法及び装置（A Method And Apparatus For Maximizing Standby Time Using A Quick Paging Channel）”と題する１９９９年２月１９日出願の米国特許出願第０９／２５２，８４６号に記載され、それは“二重事象スロット化ページング（Dual Event Slotted Paging）”と題する１９９７年７月９日出願の米国特許出願第０８／８９０，３５５号の継続一部分であり、これはまた同名の１９９７年５月３０日出願の米国特許出願第０８／８６５，３５５号の継続一部分であり、これら全ては引用文献としてここに組込まれている。
【０００５】
好ましい実施例では、各基地局１２は順方向回線チャンネルの集合から構成される順方向回線信号を生成する。このチャンネルは直交ウォルシュ符号の集合によって確立される。ウォルシュ符号は特定のチャンネルに関連するデータを変調するために使用される。このチャンネルは機能によって分類され、位相オフセット・パターンが繰返し送信されるパイロット・チャンネル、絶対システム時間及び関連するパイロット・チャンネルの位相オフセットを含めて同期データが送信される同期チャンネル、及び端末１０に向うデータが送信されるトラフィック・チャンネルを含む。トラフィック・チャンネルは特定の基地局と接続されている期間に特定の遠隔局１０にデータを送信するために一般に割当てられる。他の制御チャンネルと同様に、他の型の符号及び符号長が類似のシステムの中で使用できることは理解されるであろう。
【０００６】
さらに、一実施例に従って、１以上のウォルシュ・チャンネルは迅速なページング・チャンネルとして指定され、１以上のウォルシュ・チャンネルは完全なページング・チャンネルとして指定される。完全なページング・チャンネルの指定及び操作は好ましくはｃｄｍａ２０００規格により指示されたページング・チャンネルにしたがって行われる。ｃｄｍａ２０００規格にしたがって実質的に行う幾つかの方法及び装置は“移動通信受信器中の電力消費を低減するための装置及び方法（Apparatus And Method For Reducing Power Consumption In A Mobile Communications Receiver）”と題する米国特許第５，３９２，２８７号（'２８７特許）、及び“送受信器間の通信を予定する方法および装置（Method And Apparatus For Scheduling Communications between Transceivers）”と題する米国特許第５，５０９，０１５号（'０１５特許）に記載され、両者は本発明の譲請人に譲渡され、ここに引用文献として組込まれている。
【０００７】
'２８７及び'０１５特許に記述されたように、及びｃｄｍａ２０００により指定されたように、完全なページング・チャンネルは時間スロットに分割される。時間スロットは遠隔局１０の群に割当てられる。割当は各遠隔局１０について唯一の国際移動通信加入者ＩＤ、または１以上の移動通信識別番号（ＭＩＮ）といった他の端末識別情報に基づいて行われる。代わりの実施例では、他の識別情報もまた遠隔局１０の電子的通し番号（ＥＳＮ）または一時的な移動通信加入者ＩＤ（ＴＭＳＩ）を含めて使用することができる。使用可能な種々の型の識別情報はこれ以後集合的にモバイルＩＤと呼ぶことにする。迅速なページング・チャンネルもまた時間スロットに分割される。
【０００８】
迅速なページング・チャンネルの詳細な説明とともに完全なページング・チャンネルの特性は、ここに譲請人に譲渡され、ここに引用文献として組込まれた“迅速なページング・チャンネルを使用して待機時間を最大化する方法及び装置（A Method And Apparatus For Maximizing Standby Time Using A Quick Paging Channel）”と題する１９９９年２月１９日出願の米国特許出願第０９／２５２，８４６号に記載されている。“二重事象スロット化ページング（Dual Event Slotted Paging）”と題する１９９７年７月９日出願の米国特許出願第０８／８９０，３５５号、及びここに引用文献として組込まれている、１９９７年５月３０日出願の米国特許出願第０８／５６５，３５５号に開示されているページング法は端末ページングを提供するために迅速なページング・チャンネルと組合わせた完全なページング・チャンネルの基本的な実施を例示している。
【０００９】
完全なページング・チャンネルは共有チャンネルであり、このチャンネル上で送信されたメッセージは多くの遠隔局が復号することができることを意味する。高度に符号化されたページング・チャンネルは、完全なページング・スロットと呼ばれる所定の期間の時間スロットに分割されているが、特定の遠隔局についていつ呼出がくるかを指示するページング・メッセージを他のメッセージの中に含む。これらのページング・メッセージはまた遠隔局向けのデータバースト・メッセージを受信するため専用トラフィック・チャンネルを稼働させるよう遠隔局に指示するために使用することができる。個々の遠隔局向けのデータバースト・メッセージは以後ポイント対ポイント（二地点間）・データバースト・メッセージとして引用され、一般にＳＭＳ（短メッセージ・サービス）メッセージと呼ばれる。「ジョー、会議で抜け出せません。帰宅が夕食に３０分遅くなります。」はポイント対ポイント・データバースト・メッセージのテキスト部分の内容の一例である。
【００１０】
ｃｄｍａ２０００の技術に従う代わりの実施例では、上で議論されたページング・メッセージは完全なページング・チャンネルの代わりにＦ−ＣＣＣＨ上で送信される。
迅速なページング・チャンネルはその遠隔局に関するページがページング・チャンネル上で送信されようとしているかどうかを遠隔局に指示する共有チャンネルである。この迅速なページング・チャンネルは好ましくは完全なページング・チャンネルの期間より短い、所定の期間の迅速なページング・スロットに分割される。典型的な一実施例では、迅速な各ページング・スロットは持続期間が８０ミリ秒（ｍｓ）で、一方完全な各ページング・スロットは１．２８秒である。したがって、任意の１．２８秒の期間に互いに部分的に重なり合う１６の完全なページング・スロットがあり、そして相互に重ならない１６の完全なページング・スロットがある。典型的な実施例では、迅速なページング・スロットは次の一対一対応をもつ完全なページング・スロットと関連する。終了する迅速な各ページング・スロットはその終了後に始まる次の完全なページング・スロットと関連する。
【００１１】
明確にするために、第２図を参照してほしい。第２図では、最上部の列は、各々が典型的な８０ｍｓの期間で、そして別のページング・スロットが終わると次の迅速なページング・スロットが直ちに始まる、迅速なページング・スロットを表している。ＦＰＡスロット・サイクルと呼ぶことができる、中央の列は典型的な１．２８秒の境界で繰返す完全なページング・スロットの集合を表す。ＦＰＢスロット・サイクルと呼ぶことができる、三番目の列は典型的な１．２８秒の境界で繰り返すページング・スロットの別の集合を表す。下部の時間軸は：
完全なページング・スロットＦＰＡ１は .１秒（１００ｍｓ）で始まる
完全なページング・スロットＦＰＢ１は .１８秒（１８０ｍｓ）で始まる
完全なページング・スロットＦＰＡ２は １.３８秒（１３８０ｍｓ）で始まる
完全なページング・スロットＦＰＢ２は １.４６秒（１４６０ｍｓ）で始まる
完全なページング・スロットＦＰＡ３は ２.６６秒（２６６０ｍｓ）で始まる
完全なページング・スロットＦＰＢ３は ２.７４秒（２７４０ｍｓ）で始まる
ことを示す。
【００１２】
第２図もまた種々の迅速なページング時間スロットを示す。第２図では、
ポイント１２０、時間０で、迅速ページング・スロット１を開始する
ポイント１２２、時間８０ｍｓで、迅速ページング・スロット１が終了する
ポイント１２４、時間１６０ｍｓで、迅速ページング・スロット２が終了する
ポイント１２６、時間２４０ｍｓで、迅速ページング・スロット３が終了する
ポイント１３０、時間１３６０ｍｓで、迅速ページング・スロット１７が終了する
ポイント１３２、時間１４４０ｍｓで、迅速ページング・スロット１８が終了する
ポイント１４０、時間２６４０ｍｓで、迅速ページング・スロット３３が終了する
ポイント１４２、時間２７２０ｍｓで、迅速ページング・スロット３４が終了する。
【００１３】
迅速なページング・スロット1はポイント１２２（時間８０ｍｓ）で終了するので、それは８０ｍｓ後に始めるべき次の完全なページング・スロット、ＦＰＡ１に関係する。同様に、迅速なページング・スロット２はポイント１２４（時間１６０ｍｓ）で終了するので、それは１６０ｍｓ後に始める次の完全なページング・スロット、ＦＰＢ１に関係する。同じ理由により、迅速なページング・スロット１７は完全なページング・スロットＦＰＡ２に関係し、そして迅速なページング・スロット１８は完全なページング・スロットＦＰＢ２に関係する。
【００１４】
第２図で見ることができるように、迅速なページング・スロットの終了とそれが関係する完全なページング・スロットの開始の間にデルタ時間がある。このデルタ時間は遠隔局時間が符号化されない迅速なページング・チャンネルの監視から高度に符号化された完全なページング・チャンネルの監視に切替えるために在る。ｃｄｍａ２０００では、そして第２図の典型的な実施例では、このデルタ時間は２０ｍｓである。しかしながら、このデルタは代わりの実施例では低い値（低くは０ｍｓデルタ）または高い値であってもよい。
【００１５】
迅速な各ページング・スロットは遠隔局にページが送信される遠隔局を指示するために使用される標識（ｉｎｄｉｃａｔｏｒ）ビットを含む。標識ビットが迅速なページング・スロット内で特定の遠隔局について設定されると、ページ・メッセージがその迅速なページング・スロットに関連する完全なページング・スロット間で続いて送信される。例えば、第２図を参照して、ページが特定の遠隔局１０ｃ（示されてない）に送られることを指示するように標識ビットが迅速なページング・スロット中で設定されれば、ページは完全なページング・スロット間に特定の遠隔局１０ｃのＩＭＳＩに送信されるであろう。
【００１６】
典型的な実施例では、８０ｍｓの迅速な各ページング・スロット中には３８４ビットがある。迅速な各ページング・スロットは各々１９２ビットの第一の４０ｍｓ部分と第二の４０ｍｓ部分に分割されている。冗長性のために、第一の部分で“オン”として送信される各ビットは第二の部分で“オン”として送信される対応ビットを有する。同様に、第一の部分で“オフ”として送信される各ビットは第二の部分で“オフ”として送信される対応ビットを有する。この２つの対応ビットは以後ビット対として引用される。遠隔局が迅速なページ・スロットを監視しようとする度ごとに、遠隔局のハッシュ機能は１つの入力としてシステム時間を取り、第一の１９２ビット中の監視すべき入来ページ・ビット標識を表す番号を生成する。ハッシュ機能はまた第二の１９２ビットの群で監視が必要なビット対中の他のビットを決定するために使用される。別の方法では、第一の１９２ビット中のビット位置Ｘ及び第二の１９２ビット中のビット位置Ｙはそれが監視する迅速な各ページング・スロットについて各遠隔局により決定されるであろう。遠隔局は完全なページング・チャンネル上の入来ページを探索すべきかどうかを決定するため迅速なページング・スロット上のビットＸ及びビットＹを監視することができる。
【００１７】
第３図は２つの部分の典型的な迅速なページング・チャンネル・スロットを表すものである。典型的な実施例では、迅速な各ページング・チャンネル・スロットは期間が８０ｍｓで、３８４ビットから構成される。典型的な実施例では、迅速なページング・チャンネル・スロットは４０ｍｓの２つの部分に等しく分割され、各々は１９２ビットを含む。ＱＰＳ（図を参照）は典型的な実施例において３８４の値を有するが、迅速なページング・スロットの期間と同様にＱＰＳの値は別の実施例では別の値を取ることができる。
【００１８】
ポイント２１０は迅速なページング・スロットの第1の部分中の第1のビットの場所である。ポイント２１４は迅速なページング・スロットの第1の部分中の最後のビットの場所である。ポイント２１２はＱＰＳ／２ビットの第一の部分の何処かに位置する、ハッシュ化ビットの場所である。
【００１９】
ポイント２２０は迅速なページング・スロットの第２の部分中の第1のビットの場所である。ポイント２２４は迅速なページング・スロットの第２の部分中の最後のビットの場所である。ポイント２２２はＱＰＳ／２ビットの第二の部分の何処かに位置する、ハッシュ化ビットの場所である。Ｘ及びＹの両者は入力と同じＩＭＳＩ_Ｓを使用して決定され、したがってＸ及びＹは同値のビット対を構成する。ｃｄｍａ２０００はこの実施例の例を使用し、ここでは８０ｍｓスロットは１９２のビット対（ＱＰＳ＝３８４）を含む。１９２のビット対のうち、各４０ｍｓ部分の最初の二ビットに対応する、２ビット対は将来の使用のために留保されている。残りの１９０のビット対は１９０の一意的なハッシュ値に対応し、迅速なページング・チャンネル・スロットに関連する完全なページング・チャンネル・スロットを監視するかどうかを遠隔局に指示するためオンかオフのいずれかに設定することができる。冗長性のためビットを対にしないで、したがって３８４ビットの場所を互いに無相関にする実施例のような、他の実施例も利用可能であることを当業者は理解するであろう。その上、代わりの実施例では、多かれ少かれビットは種々の期間の迅速なページング・スロット中で送信することができる。
【００２０】
迅速なページング・スロット及び完全なページング・スロットについて議論する際に、ある所定の遠隔局が完全なページング・スロットの厳密に１サイクルに関係していることを注意すべきである。「サイクル」は本質的に同じ時間で始まり終了する一群の完全なページング・スロットである。例えば、第２図を参照すると、第二の列（スロットＦＰＡ１、ＦＰＡ２、及びＦＰＡ３）はスロットの１つのサイクルであり、第三の列（スロットＦＰＢ１、ＦＰＢ２、及びＦＰＢ３）はスロットの別のサイクルである。これらのサイクルは連続している。
【００２１】
遠隔局が単にスロットの１つのサイクルに関連しているとすれば、基地局は遠隔局が関連する完全なページング・スロットの送信の前に丁度終了する迅速なページング・スロット中で所定の遠隔局に関する標識ビットを単に送信することが効率的である。したがって、ある所定の遠隔局はその遠隔局のスロット・サイクルにおいて完全な各ページング・スロットの開始の前に丁度終了する迅速なページング・スロットに単に関連するということになる。例えば、第２図を参照すると、ＦＰＢスロット・サイクルに関連する遠隔局はスロット２、１８、３４、及び２＋１６＊Ｋの他の全倍数に関連する。遠隔局は単にそれらが関連する迅速なページング・スロットを監視することを必要とする。
【００２２】
ｃｄｍａ２０００規格に組込まれられたように、基地局及び遠隔局は迅速なページング・チャンネルのどの標識ビットが個々の各遠隔局に関連するかを決定するためにハッシュ機能を使用する。各遠隔局はそれに割当てられた唯一の国際移動局識別子（ＩＭＳＩ）を有し、それで基地局に登録する。ハッシュ機能は１つの入力ＩＭＳ_Ｓ（短ＩＭＳＩ、それはｃｄｍａ２０００ではＩＭＳＩの最後の１０ビットである）として使用し、したがってハッシュ機能は各遠隔局について唯一の入力を有する。ｃｄｍａ２０００では、ハッシュ機能はまたハッシュ機能への入力としてシステム時間を使用する。したがって、異なる標識ビットが送信の時間に依存して特定の遠隔局のために設定される。ある特定の迅速なページング・スロット内で検査すべき標識ビットを知るために、受信遠隔局はハッシュ機能に対して同じ入力を使用することができる。
【００２３】
ハッシュ機能が生成する標識ビットの検査によって、完全なページング・チャンネルの次のスロット中に遠隔局向けのメッセージが有っても無くても、遠隔局は迅速なページング・チャンネル上の１以上の標識ビットを迅速に見ることにより知ることができる。迅速なページング・チャンネル上の１以上の標識ビットの小群を監視することは、それは簡単なオンオフ・キーイング（ＯＯＫ）を使用するが、高度に符号化された完全なページング・チャンネル上の多くのビットのメッセージを監視するよりははるかに少ないエネルギを要するから、ページを監視するため迅速なページング・チャンネルを使用するとき遠隔局は電力を節約して使うことができる。したがって、遠隔局は入来ページを監視するため迅速なページング・チャンネルを使用するときその待機時間を増加させることができる。
【００２４】
今日、商用無線電話システムで送信されるデータバースト・メッセージの大部分はポイント対ポイント・データバースト・メッセージである。上で言及したように、ポイント対ポイント・データバースト・メッセージは後でデータバースト・メッセージの送信のための伝送チャネルを設定するために最初に入来ページ・メッセージを送信することにより遠隔局に送信することができる。したがって、迅速なページング・チャンネルの使用はポイント対ポイント・データバースト・メッセージを受信するために構成された遠隔局の待機時間を増加させることができる。
【００２５】
ｃｄｍａ２０００及びその前規格(ＩＳ−９５、ＩＳ−９５Ａ及びＩＳ−９５Ｂとして知られている電気通信工業会（ＴＩＡ）のプロトコルのファミリイ)はまた同報通信データバースト・メッセージを支援する。同報通信データバースト・メッセージは、以後同報通信メッセージとして引用されるが、一群のモバイル向けのデータバースト・メッセージである。当業者には一般に同報通信ＳＭＳメッセージと呼ばれている、同報通信データバースト・メッセージの内容の一例は、“新呼出し転送プランが利用可能：詳細に関する顧客サービス代行へ呼びかけるヒット＊６１１”を記載するテキスト・メッセージである。幾つかの同報通信メッセージは全ての加入者へ送られるかもしれないが、個々の各加入者がもつ好みに基づいて遠隔局の種々の群に同報通信メッセージを送信する手段がある。ｃｄｍａ２０００は、小さな部分集合が現在定義されている、２＾１６カテゴリの同報通信メッセージの支援を現在確保している。これらの同報通信のカテゴリは、１９９９年７月に出版され、引用文献によりここに組込まれている、“スペクトラム拡散システムのための短メッセージ・サービスＡＮＳＩ／ＴＩＡ／ＥＩＡ／ＩＳ−６３７Ａ”と題して、論じられており、ここで同報通信のカテゴリはサービスのカテゴリとして引用されている。
【００２６】
遠隔局は特定の加入者が関心を持っているカテゴリの同報通信メッセージだけを受取るように構成することができる。例えば、スポーツが遠隔局の加入している同報通信のカテゴリ（部類）であれば、スポーツカテゴリの同報通信メッセージだけを受取るであろう。同様に、交通が遠隔局の加入している同報通信のカテゴリであれば、交通カテゴリの同報通信メッセージだけを受取るであろう。“交通情報：ハイウェイ８北は事故により大通りで渋滞。遅れは４０分の見込み。”は、交通情報を含む同報通信メッセージのカテゴリを受信するために構成された遠隔局向けだけの同報通信メッセージの本文の一例である。
【００２７】
ｃｄｍａ２０００において迅速なページング・チャンネルを監視する方法は遠隔局がそのＩＭＳＩ向けに入来するページを監視するために迅速なページング・チャンネルを使用してポイント対ポイント・データバースト・メッセージの監視を試みているとき電力を節約することができるけれども、この方法は同報通信メッセージの受信には機能しない。それが同報通信メッセージについて機能しない理由は、ポイント対ポイント・メッセージであるから、同報通信メッセージが一加入者の遠隔局に向かわないで、特定のカテゴリの同報通信メッセージを受信するために構成された全ての遠隔局に向けられることである。ＩＭＳＩｓまたは遠隔局と、それらが受信のために構成されている、その同報通信メッセージのカテゴリとの間には相関性はないので、同報通信メッセージを受信するために別の方法が開発された。
【００２８】
現在、同報通信メッセージを監視するためにひとつの方法が開発されてきた。この方法は一般のページ・メッセージ（ＧＰＭ）を使用する。個々の遠隔局のための入来ページ通知を含む他に、ＧＰＭは送信される同報通信メッセージのカテゴリ、それらが送信されるチャンネル、及び各々が送信される時間スロットの一覧表を含めることができる。同報通信メッセージの特定のカテゴリが送信される時及びチャンネルの各指示は以後同報通信ポインタとして引用される。同報通信メッセージの１以上のカテゴリの集合を受信するために構成される特定の遠隔局に関連して、関心の同報通信ポインタは前述のカテゴリの集合内のカテゴリを参照する同報通信ポインタである。同報通信メッセージを受信するために構成される遠隔局はその完全なページング・スロットの始まりで送信されるＧＰＭメッセージを周期的に監視するであろう。ＧＰＭメッセージは第２図には図解されていないが、典型的な実施例ではＧＰＭは完全なページング・スロットの初めにある。ｃｄｍａ２０００では、ＧＰＭメッセージはＦ−ＣＣＣＨ上の完全な各ページング・スロットの最初の８０ｍｓ間に監視される。基地局がＧＰＭｓを送信するために使用する方法論のために、遠隔局は遠隔局の完全なページング・サイクルの最初の８０ｍｓ間にＧＰＭメッセージだけを監視する必要がある。遠隔局はそのスロット・サイクル中の完全なページ・スロットごとの始まりに関してＧＰＭメッセージを監視するように構成してもよいし、または各Ｎ個の完全なページ・スロットから１個の始まりでＧＰＭメッセージを監視するように構成してもよい。同報通信情報をもつＧＰＭｓを監視することが少なくなるほど、遠隔局はより少なく電力を消費することになる。同報通信スロット・サイクル指数は遠隔局が同報通信情報をもつＧＰＭｓを監視する頻度に対応する数値である。同報通信スロット・サイクル指数が高いほど、遠隔局は同報通信情報をもつＧＰＭｓをより少なく監視することになる。
【００２９】
ｃｄｍａ２０００では、ＧＰＭメッセージは完全なページング・チャンネル上で送信され、参照同報通信メッセージは次の時間スロットで同じ完全なページング・チャンネル上で送信される。ｃｄｍａ２０００Ａでは、ＧＰＭメッセージはＦ−ＣＣＣＨ上で送信され、参照同報通信メッセージは次の時間スロットでＦ−ＢＣＣＨ上で送信される。
【００３０】
多くのユーザーはすぐに同報通信メッセージを受信する必要がないので、遠隔局は大抵は大きな同報通信スロット・サイクル指数で構成されている。そのような場合、遠隔局は同報通信情報をもつＧＰＭｓを監視せず、したがって多くの電池電力が節約される。実際、現在の時点では、同報通信メッセージを全く受信しないように構成されている遠隔局が多いかもしれない。しかしながら、情報急増とともに、多くのユーザーが僅かな遅れで様々なカテゴリの同報通信メッセージを受信することを要求し始めるであろうと考えられる。ユーザーが小さな同報通信スロット・サイクル指数を恐らく要求するこのような状況では、上記の同報通信方法の仕方の電力消費の非能率性は明白になるであろう。必要なものは同報通信データバースト・メッセージを受信するために構成された遠隔局における待機時間を最大化するための方法及び装置である。
【００３１】
発明の概要
本発明は基地局、複数の遠隔局、ページング情報と同報通信データバースト・メッセージ基準を含む一般的なページ・メッセージが周期的に送信される第一のチャンネル、及び同報通信データバースト通知標識を包含する補助チャンネルを含む移動無線通信システムに関する。本発明は同報通信データバースト・メッセージを受信するために構成された遠隔局において待機時間を増加させるため補助チャンネルを利用することに関する。
【００３２】
典型的な実施例における補助チャンネルは基地局の被蔽領域内で動作する遠隔局により使用される無符号化、オン−オフ・キーイング（ＯＯＫ）変調直接シーケンス・スペクトラム拡散信号である。
【００３３】
典型的な実施例では、同報通信データバースト通知標識は同報通信データバースト・メッセージ基準について第一のチャンネルを検査する必要があるかどうかを遠隔局に指示するために設定された１以上の標識ビットである。典型的な一実施例では、標識ビットの位置はハッシュ機能を使用することにより決定される。
【００３４】
典型的な実施例では、迅速なページング・チャンネルは補助チャンネルとして使用され、ここでは同報通信データバースト通知標識は入来ページ通知標識とともに迅速なページング・チャンネル上に多重化される。別の典型的な実施例では、新しいチャンネルが同報通信データバースト通知標識の送信のための補助チャンネルとして使用される。典型的な一実施例では、Ｆ−ＣＣＣＨが第一のチャンネルとして使用される。
【００３５】
本発明の特徴、目的、および利点は、同様な参照符号が全体にわたり対応して同一である図面と関連して取られる以下に始まる詳細な記述からさらに明らかになるであろう。
【００３６】
好ましい実施例の詳細な説明
上に述べたように、一般的なページ・メッセージは高度に符号化されたチャンネル上で送信され、特定のカテゴリの同報通信メッセージをどのチャンネル上及びどの時間スロットで送信するかを同報通信ポインタを介して遠隔局に指示するために使用することができる。同報通信メッセージの１以上のカテゴリの集合を受信するために構成された特定の基地局に関連して、関心の同報通信ポインタは上述のカテゴリの集合内のカテゴリを参照する同報通信ポインタである。同報通信ポインタは冗長であり、完全性を保証するため畳み込み符号化を使用する高度な符号化チャンネル上で送信されるので、関心の同報通信ポインタを監視するごとにかなりの電気量を消費する。本発明の方法は遠隔局内の電力を節約するために同報通信ポインタと連動して無符号化チャンネル上で標識ビットを使用する。
【００３７】
第６図は同報通信カテゴリ通知を送信するために本発明の基地局によって使用される方法の基本的なフローチャートである。ブロック５１０では、基地局は時間スロットｔ１からｔＸで送信される同報通信のカテゴリを決定する。その後、その処理はブロック５２０に進む。
【００３８】
ブロック５２０では、基地局は決定されたカテゴリを所定のハッシュ機能に供給する。ハッシュ機能はＮビットの集合から１以上のビットに対応する出力を生成し、ここでＮは規定値である。典型的な実施例では、Ｎは８で、ハッシュ機能は０と７の間の値のビット指数を生成する。代わりの実施例はＮに別の値を使用することができる。典型的な実施例では、同報通信のカテゴリだけがハッシュのために使用される。同業者には既知であるが、このようなハッシュは簡単な表照合で実施することができる。代わりの実施例では、システム時間はその上ハッシュ機能への入力に使用される。このような実施例では、ある所定のカテゴリについてのハッシュ機能の出力は２つの異なる時間に異なる出力を生成する。その後、処理はブロック５３０に進む。
【００３９】
ブロック５３０では、基地局は本発明の同報通信標識ビット・ストリームを生成する。同報通信標識ビット・ストリームはＮビットからなり、ブロック５２０で述べられたハッシュ機能の出力に対応するビットは“オン”値に設定される。同報通信標識ビット・ストリーム中の他の全てのビットは“オフ”に設定される。これは例でより明らかになる。
【００４０】
例の目的のために、特定の典型的な実施例において、左端のビットはビットＮ−１として参照され、右端のビットはビット０として参照され、Ｎは８であり、０のビット値は“オフ”を意味し、そして１のビット値は“オン”を意味すると仮定する。このような場合には、８ビット００００００００のビット・ストリームは同報通信のカテゴリが時間スロットｔ１からｔＸの間に送信されないことを意味する。同様に、００００１００１のビット・ストリームは０の指数値にハッシュされたカテゴリと３の指数値にハッシュされたカテゴリが時間スロットｔ１からｔＸの間に送信されることを意味する。
【００４１】
ステップ５２０及び５３０は、全てのカテゴリがハッシュされ、それから全ての対応するビットが設定される、連続的順で起こる別のステップとして図示されているが、当業者はこれらのステップは互いに排他的に起こる必要はないことを理解するであろう。例えば、典型的な実施例では、送信されるカテゴリの１つのカテゴリはハッシュされて、その後で同報通信標識ビット・ストリーム中の対応ビットが設定される。それから、カテゴリ中の第二のカテゴリがハッシュされ、その後で同報通信標識ビット・ストリームは最後のハッシュ集合から対応ビットをまた持つように改変することができる。
【００４２】
処理はブロック５４０へ進む。ブロック５４０では、ブロック５３０中で設定された同報通信標識ビット・ストリームが送信される。典型的な実施例では、ビット・ストリームは基地局の被蔽領域内で動作する遠隔局により使用される無符号化、オン−オフ・キーイング（ＯＯＫ）変調直接シーケンス・スペクトラム拡散信号である補助チャンネル上で送信される。基地局は遠隔局が或るカテゴリの同報通信ポインタについての特定のＧＰＭメッセージを監視すべきかどうかを遠隔局に知らせるために補助チャンネルを使用する。
【００４３】
第４図は本発明の補助のチャンネル上で送信されるＮ同報通信カテゴリ標識ビットの概略図で、ブロック５４０中で送信されるビット・ストリームを表す。第４図において、ポイント４１０は同報通信標識ビット・ストリーム中の第一のビットである。ポイント４１４は同報通信ビット・ストリーム中のＮ番目のビットの場所である。ポイント４１２はビット・ストリームのＮビット内に位置する、同報通信標識ビット・ストリーム中のＸ番目のビットの場所である。典型的な実施例では、補助チャンネル及び従来の迅速なページング・チャンネルは、従来の迅速なページング・チャンネル上のスロットと実質的に時間が整合された補助チャンネル・スロットで、同時に送信される。そのような実施例では、補助チャンネル上のビットは迅速なページング・チャンネル上で送信されるビットとは異なるウォルシュ符号を利用して送信される。
【００４４】
別の典型的な実施例では、同報通信標識ビット・ストリームは従来の迅速なページング・チャンネル・スロットの改良版上で送信される。この改良された迅速なページング・チャンネル・スロットは第５図に図示されている。ここでは従来の迅速なページング・チャンネルは長さＱＰＳのスロットを有し、第３図を参照して述べたように、２つの部分に分割されているが、本発明の典型的な実施例の迅速なページング・チャンネルは、第５図に示したように、３つの部分に分割されている。第５図に示したように、迅速なページング・チャンネル・スロットはＱＰＳビットで構成され、ここでは迅速なページング・チャンネルの最初のＮビットは本発明の同報通信標識ビット・ストリームを含む。改良された迅速なページング・チャンネルの第二の部分及び第三の部分は先行技術中にあるようにＩＭＳＩ_Ｓに基づく入来ページ・ハッシュ・ビットを含む。しかしながら、第５図の２つのハッシュ部分は長さが先行技術とは異なる。既存の迅速なページング・チャンネル・スロットは入来ページ標識ビットについてＱＰＳ／２ビットの２つの部分で構成されているが、本発明の改良されたページング・チャンネル・スロットは（ＱＰＳ−Ｎ）／２標識ビットの２つの部分を有する。例えば、入来ページ標識ビットが１９２ビットの２つの部分に各々分割されている、８０ｍｓの迅速なページング・スロット、３８４のＱＰＳを先行技術のシステムが有していれば、入来ページ標識ビットが１８８ビットの２つの部分に各々分割される、Ｎ＝８の値をもつ本発明の改良された迅速なページング・チャンネルを作り出すことができる。このように、改良された迅速なページング・チャンネルの入来ページ・ハッシュ機能は先行技術のハッシュ機能の出力空間より４ビット（１９２−１８８）少ない出力空間を有するであろう。同報通信標識ビット・ストリームのＮビットはこの典型的な実施例では改良された迅速なページング・チャンネル・スロットの始まりにあるけれども、本発明はそのような配置に限定されない。当業者はそのビットが、代わりの実施例では、最後のＮビットといった改良された迅速なページング・チャンネル・スロットの他の部分に置くことができることを理解するであろう。
【００４５】
代わりの典型的な実施例では、ページング標識ビットが冗長して送信されるのと同じ理由で同報通信標識ビット・ストリームは冗長して送信される。そのような典型的な一実施例では、同報通信標識ビット・ストリームのＮビットの各ビットはビット対の一部分であり、ここでは改良された迅速なページング・チャンネルの後半分中で同じ値に設定された別の対応するビットがある。この典型的な実施例の改良された迅速なページング・チャンネルは、（ＱＰＳ−２Ｎ）／２の冗長入来ページ標識に続くＮ冗長同報通信標識ビットに後続する、（ＱＰＳ−２Ｎ）／２の入来ページ標識に続くＮ同報通信標識ビットを有するであろう。
【００４６】
さらに別の代わりの実施例では、同報通信標識ビットはページング標識ビットの先端部（ｔｏｐ）に被せることができる。例えば、改良された迅速なページング・チャンネル上で、被覆の実施例において“オン”として送信される或る１ビット（または冗長なシナリオ中のビット対）は、この特定のビットにハッシュするＩＭＳＩ_Ｓを有する遠隔局について近々の入来ページがあるか、またはこの特定のビットにハッシュするカテゴリの近々の同報通信ポインタがあるかを遠隔局に信号で知らせる。
【００４７】
第８図は関連するＧＰＭｓに対する改良された迅速なページング・スロット間の時間関係及び関連の図である。第８図では、改良された迅速なページング・スロットは、同報通信ビット標識ストリームを含み、送信された次の完全なページング・スロットの始まりに向かって生じるＧＰＭｓと関連することが分かる。
【００４８】
代わりの典型的な実施例では、本発明の迅速なページング・チャンネルは先行技術から変わらない。この実施例では、迅速なページング・チャンネル・スロットは第３図と同一である。本発明のこの実施例では、同報通信標識ビット・ストリームは、以後順方向同報通信標識チャンネル（Ｆ−ＢＩＣＨ）と呼ばれる、個別のチャンネル上で送信される。このＦ−ＢＩＣＨは送信のためのそれ自身の専用ウォルシュ符号を使用し、迅速なページング・チャンネル・スロットと同じ長さ及び期間のスロットに分割される。残りのビットは将来の使用のために保留されている。Ｆ−ＢＩＣＨの各スロットの最初のＮビットは同報通信標識ビット・ストリームを搬送するために使用される必要がある。第９図は関連するＧＰＭｓに対する従来の迅速なページング・スロットと新しいＦ−ＢＩＣＨスロット間の時間関係及び関連の図である。第９図では、Ｆ−ＢＩＣＨスロットは迅速なページング・スロットと一致していることが分かる。その上、Ｆ−ＢＩＣＨスロットは従来の迅速なページング・スロットのものと同じＧＰＭｓ、即ち送信された次の完全なページング・スロットの始まりに対して生じるＧＰＭｓに関連することが分かる。
【００４９】
ブロック５４０に戻って、その後、処理はブロック５５０に進む。ブロック５５０では、基地局はブロック５５０に移る前に所定の時間量待機する。必要な時間量は遠隔局が同報通信標識ビット・ストリームを搬送するチャンネルの監視から同報通信メッセージを搬送するチャンネル上のメッセージの復号に切換えることができるに十分なものである。典型的な実施例では、待ち時間は２０ｍｓである。しかしながら、代わりの実施例ではそれより多くしたり少なくすることができる。その後、処理はブロック５６０に進む。
【００５０】
ブロック５６０では、一般的なページ・メッセージが送信される。これらは完全なページング・チャンネル上で送信される。ｃｄｍａ２０００Ａについての実施例では、一般的なページ・メッセージはＦ−ＣＣＣＨ上で送信される。一般的なページ・メッセージは、同報通信ポインタを含んでおり、先行技術においてと同じ方法で送信される。ブロック５２０のハッシュ機能に供給される同報通信のカテゴリはこの時間スロットでＧＰＭメッセージを生成するために使用されると同じカテゴリであることは注目すべきである。別の方法として、ブロック５６０で送信されたＧＰＭメッセージの同報通信ポインタに在る全てのカテゴリはブロック５２０のハッシュ機能に対する入力として使用される。例として、スポーツのカテゴリがブロック５６０において送信されたＧＰＭメッセージで見つかった同報通信ポインタ内で参照されれば、そしてスポーツのカテゴリがブロック５２０のハッシュ機能において３のビット指数を生成すれば、ブロック５４０の同報通信標識ビット・ストリームは“オン”に設定された三番目のビットを持つであろう。したがって、ブロック５４０の同報通信標識ビット・ストリームはブロック５６０で送信されたＧＰＭメッセージに在る同報通信ポインタに相関を有する。
【００５１】
ブロック５５０の後に、処理は同じ処理が時間スロットｔ２からｔＸ＋１で送信されるカテゴリの集合について実行されるブロック５１０に戻る。
【００５２】
第７図は同報通信カテゴリ通知を受信するため本発明の遠隔局により使用される方法の基本的なフローチャートである。ブロック７１０では、遠隔局は所定の時間量が経過するまでいずれの無線チャンネルも監視するためにＲＦユニットの一部を可動する必要がないスロット化休止モードに目下の処あるので、遠隔局はＲＦユニットの一部を不能にする。幾つかの実施例では、遠隔局がスロット化休止モードにあるときと同じく遠隔局の他の部分も不能化してもよい。その後、処理はブロック７２０に進む。
【００５３】
ブロック７２０では、遠隔局が受信するめに構成されるカテゴリを得ることにより、そしてブロック５２０において基地局により利用されるハッシュ機能として同じ出力を生成するハッシュ機能に入力としてそれらを使用することにより、遠隔局は監視が必要な同報通信標識ビットの場所を決定する。その上、典型的な実施例では、遠隔局はまた監視すべき入来ページ標識ビットを決定する。この処理は、前述の標識ビットを旨く監視するためＲＦユニットの可動が必要になる前に遠隔局が所定の時間まで待機する、ブロック７３０に進む。その後、処理はブロック７４０に進む。
【００５４】
ブロック７４０では、ここでは標識ビットを監視するために必要なＲＦユニットの一部が作動される。標識バイトの受信を処理するために可動が必要になる遠隔局の或る他の部分もまた作動される。その後、処理はブロック７５０に進む。
【００５５】
典型的な実施例では、同報通信標識ビット・ストリームは従来の迅速なページング・チャンネル・スロットの改良版上で受信される。この送信の実施例は第５図を参照して述べられる。このような実施例において、ブロック７５０では、ブロック７２０で決定された入来ページ標識ビットは改良された迅速なページング・チャンネル・スロットの最初のＮビットから選択的に監視される。その上、遠隔局が現在の迅速なページング・チャンネル・スロット間に入来ページを監視していれば、ブロック７５０ではブロック７２０で決定された入来ページ標識ビットは迅速なページング・チャンネル・スロットの最初のＮビットのビット位置から選択的に監視される。このような場合には、改良された迅速なページング・チャンネルの入来ページ・ハッシュ機能は先行技術のハッシュ機能より小さな出力を有することに注目すべきである。同報通信標識ビット・ストリームのＮビットはこの実施例では改良された迅速なページング・スロットの始まりにあるけれども、この発明はそのような配置に限定されない。当業者はそのビットが、代わりの実施例では、最後のＮビットといった改良された迅速なページング・チャンネル・スロットの他の部分に置くことができることを理解するであろう。
【００５６】
代わりの典型的な実施例では、ページング標識ビットが冗長して送信されると同じ理由で同報通信標識ビット・ストリームは冗長して送信される。そのような典型的な一実施例では、同報通信標識ビット・ストリームのＮビットの各ビットはビット対の一部分であり、ここでは改良された迅速なページング・チャンネルの後半分中で同じ値に設定された別の対応ビットがある。
【００５７】
さらに別の代わりの実施例では、同報通信標識ビットはページング標識ビットの先端部（ｔｏｐ）に被せることができる。例えば、改良された迅速なページング・チャンネル上で、被覆の実施例において“オン”として送信される或る１ビット（または冗長なシナリオ中のビット対）は、この特定のビットにハッシュするＩＭＳＩ_Ｓを有する遠隔局について近々の入来ページがあるか、またはこの特定のビットにハッシュするカテゴリの近々の同報通信ポインタがあるかを遠隔局に信号で知らせる。
【００５８】
代わりの典型的な実施例では、迅速なページング・チャンネルは未変更であり、そして同報通信標識ビットは本発明のＦ−ＢＩＣＨ上で送信される。この代わりの典型的な送信の実施例もまた第５図を参照して記述されている。このような実施例では、ブロック７５０では、ブロック７２０で決定された同報通信標識ビットはＦ−ＢＩＣＨスロットの最初のＮビットから選択的に監視される。その上、遠隔局が現在の迅速なページング・チャンネル・スロット間に入来ページを監視していれば、ブロック７５０では、ブロック７２０で決定された同報通信標識ビットは従来の迅速なページング・チャンネル・スロットから選択的に監視される。
【００５９】
その後、処理はブロック７６０に進む。ブロック７６０では、監視されたいずれかのビットが“オン”に設定されたかどうかが調べられる。
【００６０】
監視された標識ビットのいずれも設定されてなければ、次の完全なページ・スロット間にＧＰＭｓを監視することが遠隔局に必要でないことを基地局はこれらの数ビットで遠隔局に伝達する。そのような場合では、遠隔局はその休止モードに速やかに戻ることができるようにステップ７１０に戻る。
【００６１】
典型的な実施例では、監視された１以上の標識ビットが“オン”に設定されれば、処理はブロック７７０に進む。一実施例では、ビットがビット対（先行技術では冗長のために行われる）の要素であれば、ビット対中の他のビットもまた“オン”であるとして受信されない場合はそれは“オン”であるとして監視されない。ブロック７７０では、ＧＰＭｓは先行技術の中で行われるのと同じ方法で監視される。ｃｄｍａ２０００では、それらは完全なページング・チャンネル上で監視される。ｃｄｍａ２０００Ａでは、それらはＦ−ＣＣＣＨ上で監視される。その後、処理はブロック７８０に進む。
【００６２】
ブロック７８０では、標準処理が監視したＧＰＭｓの内容に依存して行われる。標準処理はＧＰＭメッセージの受信に基づいた従来の処理に従って行われる。例えば、入来ページが受信されれば、遠隔局は適宜にそれを処理する。そのような事例では、処理は最終的にスロット化休止モードに戻る前に基地局との専用通信回線を開き（そして続いてそれを閉じ）、そしてブロック７１０に戻ることを含めることができる。別の例では、関心のメッセージへの同報通信ポインタをもつＧＰＭメッセージが受信されれば、遠隔局は同報通信ポインタの内容に基づいた適切な時間に適切なチャンネルを監視する。別の例では、ＧＰＭは関心のメッセージを含んでいないかもしれず、そのために、遠隔局はそれに関心のメッセージがないことを認識する以外には標準処理を持たない。
【００６３】
ブロック７８０の標準処理の終了後、処理はブロック７１０に戻る。
【００６４】
第１０図は発明の一実施例に従って構成された遠隔局１０の簡略化された実例を示すブロック図である。ディジタル復調器１０１２、逆ウォルシュ拡散ユニット１０１３、逆ブロック・インタリーブ器１０１４、畳み込み復号器１０１６及び制御プロセッサ１０１８がディジタル・バスによって接続されており、ＲＦ受信器１０１０はディジタル復調器１０１２に接続されている。スロット化休止モードの間、選択した本発明の方法に応じて、制御プロセッサ１０１８はａ）改良された迅速なページング・チャンネル、またはｂ）従来の迅速なページング・チャンネル及びＦ−ＢＩＣＨの両者のいずれかを処理するためＲＦ受信器１０１０及びディジタル復調器１０１２を周期的に起動させる。ＲＦ受信器１０１０はＲＦ信号をダウンコンバート及びディジタル化し、そしてディジタル復調器１０１２は、この技術分野では既知のＰＮ逆拡散技術を使用して、第一の期間にディジタル復調を行う。ディジタル復調されたデータは逆ウォルシュ拡散ユニット１０１３に渡される。本発明の改良された迅速なページング・チャンネルが利用される実施例では、逆ウォルシュ拡散ユニットは改良された迅速なページング・チャンネル・ウォルシュ符号に対応するウォルシュ符号により復調データを掛け合わせ、制御プロセッサ１０１８に出力を供給する。従来の迅速なページング・チャンネルが本発明のＦ−ＢＩＣＨと共に使用される実施例では、逆ウォルシュ拡散ユニットは復調データを迅速なページング・チャンネルのウォルシュ符号及びＦ−ＢＩＣＨのウォルシュ符号の両者に対して掛け合わせる。そのような場合には、両方のウォルシュ出力ストリームは制御プロセッサ１０１８に供給される。いずれの場合も、同報通信カテゴリ標識ビットおよびページング標識ビットの両者は制御プロセッサ１０１８に供給される。制御プロセッサ１０１８は関心の同報通信ポインタについてどちらのＧＰＭｓを監視する必要があるかどうかを決定するため同報通信標識ビット・ストリームを検査する。さらに、制御プロセッサ１０１８は入来ページについてのＧＰＭｓを監視する必要があるかどうかを決定するため入来ページ標識ビットを監視することができる。入来ページ標識ビットまたは同報通信標識ビット・ストリームが関心のメッセージについてこれらのＧＰＭｓを監視すべきであれば、制御システム１０１８は次の完全なページング・スロットでＧＰＭｓを監視することを決定するであろう。さらに、典型的な実施例では、パイロットの信号強度を検査するといった多くの従来方法により決定できる、低品質で信号が受信されていれば、制御システム１０１８はビット・ストリームの内容に関わりなくＧＰＭを監視するよう決定できる。
【００６５】
制御システム１０１８がこれらのＧＰＭについて監視することを決定する場合、それは第一の期間より長い第二の期間について完全なページング・チャンネル（ｃｄｍａ２０００ではＦ−ＣＣＣＨ)を処理し始めるために逆ブロック・インタリーブ器１０１４及び畳み込み復号器１０１６を起動する。その後、制御システム１０１８はそれに関心のあるＧＰＭについて完全なページング・チャンネル上で受信されたデータを監視する。このポイントでは、ＧＰＭメッセージの標準処理が行われる(第７図のブロック７８０)。メッセージの標準処理が終了した後、制御システム１０１８は逆ブロック・インタリーブ器１０１４及び畳み込み復号器１０１６の動作を停止し、スロット化休止モードに戻る。さらに、典型的な実施例では、ＲＦ受信器のシンセサイザーは同様に動作が停止される。
【００６６】
当業者は制御プロセッサ６００はフィールド・プログラマブル・ゲート・アレイ（ＦＰＧＡ）、プログラマブル論理デバイス（ＰＬＤ）、ディジタル信号プロセッサ（ＤＳＰ）、１以上のマイクロプロセッサ、用途特定集積回路（ＡＳＩＣ）または上述の機能が実行可能な他のデバイスを用いて実装できることを理解するであろう。
【００６７】
上で与えられた記述から明らかなように、本発明は、同報通信標識ビット・ストリームを使用するときよりスロット化休止モードの間に同報通信メッセージについて監視するとき、より少ない電力を消費することを可能にする。スロット化休止モードでより少ない電力を消費することは遠隔局１０が電池充電でより長く作動することを可能にし、したがって、遠隔局１０の待機時間の拡大を可能にする。遠隔局１０は移動無線通信において一般に使用されるので、遠隔局１０の電池を再充電または交換しないで時間の期間拡大をすることは多くの場合必要である。したがって、大いなる便宜を提供し、かつ電池の消耗による同報通信メッセージを見落とす可能性を低減するために、所定の電池サイズについて待機時間を拡大することは大いに望ましい。
【００６８】
第１１図は本発明の一実施例に従って構成された基地局１２の単純化された実例を示すブロック図である。ディジタル変調器１１１８、ウォルシュ拡散ユニット１１１６、ブロック・インタリーブ器１１１４、畳み込み符号器１１１２及び制御システム１１１０がディジタル・バスによって接続され、そしてＲＦ送信器１１２０はディジタル変調器１１１８に接続されている。
【００６９】
時間スロットt1の前の時間に、制御プロセッサ１１２０は、時間スロットt1からｔＸで送信される同報通信メッセージのカテゴリを決定する。制御プロセッサ１１２０はこれらのカテゴリ上でハッシュ機能を実行し、それはＮビットの集合から１以上のビットに対応する出力を生成する。ここで、Ｎは所定の値である。その後、制御プロセッサ１１２０はＮビットからなる同報通信標識ビット・ストリームを生成する。この中でハッシュ機能の出力に対応するビットは“オン”値に設定される。同報通信ビット・ストリーム中の他の全てのビットは“オン”に設定される。典型的な一実施例では、“オン”ビットは、１の値を有し、一方“オフ”ビットは０の値を有する。この標識ビット・ストリームはウォルシュ拡散器１１１６に供給される。
【００７０】
本発明の改良された迅速なページング・チャンネルが利用される実施例では、ウォルシュ拡散ユニット１１１６は供給されたビット・ストリームを改良された迅速なページング・チャンネルに対応するウォルシュ符号により掛け合わせて、これをディジタル変調器１１１８に供給する。
【００７１】
従来の迅速なページング・チャンネルが本発明のＦ−ＢＩＣＨと共に使用される実施例では、制御プロセッサ１１２０はウォルシュ拡散ユニット１１１６に同報通信標識ビット・ストリームを供給したと実質的に同じ時間にウォルシュ拡散ユニット１１１６にページング標識ビットのビット・ストリームを供給する。そのような実施例では、ウォルシュ拡散ユニット１１１６は供給された同報通信標識ビット・ストリームを本発明のＦ−ＢＩＣＨに対応するウォルシュ符号により掛け合わせ、そして供給されたページング標識ビット・ストリームを迅速なページング・チャンネルに対応するウォルシュ符号により掛け合わせる。その後、ウォルシュ拡散ユニット１１１６は個別の乗算演算の２つの出力を組合わせて、次にディジタル変調器１１１８に結合した出力を供給する。ディジタル変調器１１１８は、当技術において既知のＰＮ拡散技術を使用して、第一の期間にウォルシュ拡散ユニット１１１６上でデジタル変調を行い、変調信号をＲＦ送信器１１２０に供給し、ここで信号はアップコンバートされ、無線で送信される。
【００７２】
本発明の改良された迅速なページング・チャンネルが利用される実施例では、制御プロセッサ１１１０はウォルシュ拡散ユニット１１１６に同報通信標識ビット・ストリームを供給した後、ウォルシュ拡散ユニット１１１６に入来ページ標識ビット・ストリームを供給する。そのような実施例では、ウォルシュ拡散ユニット１１１６は供給された入来ページ標識ビット・ストリームを改良された迅速なページング・チャンネルに対応するウォルシュ符号により掛け合わせて、これをディジタル変調器１１１８に供給する。ディジタル変調器１１１８は、当技術で既知のＰＮ拡散技術を使用して、第一の期間にウォルシュ拡散ユニット１１１６の出力上でデジタル変調を行い、変調された信号をＲＦ送信器に供給し、ここで信号はアップコンバートされ、無線で送信される。この実施例では、システムを介する信号の流れは、送信された信号が同じウォルシュ・チャンネル上の入来ページ標識ビットが後続する同報通信標識ビットを表すようなものである。
【００７３】
次の時間に、制御プロセッサ１１１０は、上に議論されたハッシュ機能に供給される同報通信カテゴリに対応する同報通信ポインタを含む一般的なページ・メッセージを生成する。同報通信ポインタは時間スロットt1とtXの間で続いて送信される同報通信メッセージを参照する。さらに、制御プロセッサ１１１０は以前に生成された入来ページ標識ビットに対応する入来ページ・メッセージを生成する。ページ・メッセージはそれらがエラー訂正に供給するため畳み込み符号化されたビット・ストリームに変換される畳み込み符号器１１１２に供給される。畳み込み符号器１１１２は畳み込み符号化されたビット・ストリームをインタリーブ器１１１４に供給し、ここでビットがインタリーブまたは再配列される。インタリーブされたビット・ストリームは、ビット・ストリームが完全なページング・チャンネル（ｃｄｍａ２０００ではＦ−ＣＣＣＨ）に対応するウォルシュ符号を掛け合わせられる、ウォルシュ拡散ユニット１１１６に供給される。ディジタル変調器１１１８は第二の期間にこのビット・ストリーム上で当技術分野で既知のＰＮ拡散技術を使用してディジタル変調を行う。ここで前記第二の期間は前記第一の期間より長い。ディジタル変調器１１１８は変調信号をＲＦ送信器１１２０に供給し、ここで信号はアップコンバートされ、無線で送信される。
【００７４】
ここに開示された方法と技術は、本発明から逸脱することなくＴＤＭＡ、ＷＣＤＭＡ、及びＥＤＧＥを含むいくつかの代わりの変調技術と共に使用してもよい。
【００７５】
先述の好ましい実施例は当業者が本発明を為しまたは使用を可能にするために提供される。これらの実施例に対する種々の変形は当業者には直ちに明白であり、この中に定義された一般原理は発明能力を用いることなく他の実施例に適用可能である。斯くして、本発明はこの中に示された実施例に限定されると解釈されるものではなく、この中に開示された原理及び新規な特徴と一致する広範な領域に認られるべきものである。
[付記１]  同報通信標識ビット・ストリームのビット指数にカテゴリを関連させること; 
前記ビット指数に位置する同報通信標識ビット・ストリーム中の１以上のビットを受信するために周期的な基準によって呼び起こすこと; 
前記１以上のビットを受信すること; 
前記１以上の各ビットをオンまたはオフ値と比較すること;及び 
所定の時間間隔により前記同報通信標識ビット・ストリームに後続する符号化ビット・ストリームを続いて受信及び復号すべきかどうかを前記比較から決定すること、
を含むスペクトラム拡散無線通信システムにおいて同報通信メッセージを受信する方法。
[付記２]  カテゴリを関連させるステップは、前記ビット指数を決定するため所定のハッシュ機能により同報通信メッセージの所望のカテゴリをハッシュするステップをさらに含む付記１の方法。
[付記３]  前記１以上のビットを受信するステップは無符号化、オン−オフ・キーイング変調直接シーケンス・スペクトラム拡散信号を復調するステップをさらに含む付記１の方法。
[付記４]  前記１以上のビットを受信した後、前記１以上のビットと同じチャンネル上で１以上の入来ページ標識ビットを受信するステップをさらに含む付記１の方法。
[付記５]  前記１以上のビットを受信するステップは、改良された迅速なページング・チャンネル上で第一の信号を復調するステップをさらに含む付記４の方法。
[付記６]  １以上の入来ページ・ビットを受信するステップは、前記第一の信号を復調した後、前記改良された迅速なページング・チャンネル上で第二の信号を復調するステップをさらに含む付記５の方法。
[付記７]  前記１以上のビットを受信するステップは、改良された迅速なページング・チャンネル上で被覆方法で前記１以上のビット及び前記１以上のページ標識ビットを受信するステップをさらに含む付記４の方法。
[付記８]  前記１以上のビットを受信するステップは、迅速なページング・チャンネルに直交する補助チャンネル上で第一の信号を復調するステップをさらに含む付記１の方法。
[付記９]  迅速なページング・チャンネル上で１以上の入来ページ標識ビットを受信するステップをさらに含み、１以上の入来ページ標識ビットを受信するステップが迅速なページング・チャンネル上で第二の信号を復調するサブステップを含む付記８の方法。
[付記１０]  ビット指数を決定するため所定のハッシュ機能を介して同報通信メッセージの所望のカテゴリをハッシュすることによりカテゴリを同報通信標識ビット・ストリームの前記ビット指数と関連させること；
前記ビット指数に位置する同報通信標識ビット・ストリーム中の１以上のビットを受信するために周期的な基準によって呼び起こすこと;
改良された前記迅速なページング・チャンネル上で前記１以上のビットを受信すること; 
前記改良された前記迅速なページング・チャンネル上で１以上の入来ページ標識ビットを受信すること; 
前記１以上の各ビット及び前記１以上の各入来ページ標識ビットをオンまたはオフ値と比較すること; 
所定の時間間隔により前記同報通信標識ビット・ストリームに後続する符号化ビット・ストリームを続いて受信及び復号すべきかどうかを前記比較から決定すること、
を含む拡散スペクトル無線通信システムにおいて同報通信メッセージを受信する方法。
[付記１１]  改良された迅速なページング・チャンネル上で前記１以上のビットを受信するステップは、無符号化、オン−オフ・キーイング変調直接シーケンス・スペクトラム拡散信号を復調するステップをさらに含む付記１０の方法。
[付記１２]  ａ）第一の時間スロットの始まりの前に前記第一の時間スロット間に送信される同報通信メッセージのカテゴリを決定すること; 
ｂ）ステップａ）からの同報通信メッセージの前記所定のカテゴリに基づいて所定の長さの同報通信標識ビット・ストリームに関連するために０以上のビット指数を決定すること; 
ｃ）前記ビット指数に位置するビットがオン値に設定され、前記同報通信標識ビット・ストリーム中の他の全てのビットがオフ値に設定される同報通信標識ビット・ストリームを生成すること；
ｄ）前記第一の時間スロットの前に生じる第二の時間スロット間に前記同報通信標識ビット・ストリームを送信すること、ここで前記第二の時間スロットは前記第1の時間スロットに所定の間隔だけ先行する；及び 
ｅ）同報通信メッセージの前記カテゴリに対応する０以上の同報通信ポインタを含む符号化ビット・ストリームを前記第一の時間スロット間に送信すること、
を含む拡散スペクトル無線通信システムにおいて同報通信メッセージを送信する方法。
[付記１３]  ０以上のビット指数を決定するステップは、前記０以上のビット指数を決定するため所定のハッシュ機能によってステップａ）から同報通信メッセージのカテゴリをハッシュするステップをさらに含む付記１２の方法。
[付記１４]  第一のチャンネル上で入来ページ・ビット・ストリームを送信するステップをさらに含む付記１３の方法。
[付記１５]  入来ページ・ビット・ストリームを送信するステップは前記第一のチャンネル上で前記入来ページ・ビット・ストリームを送信するステップをさらに含み、前記第一のチャンネルは改良された迅速なページング・チャンネルである付記１４の方法。
[付記１６]  入来ページ・ビット・ストリームを送信するステップは前記第一のチャンネル上で前記入来ページ・ビット・ストリームを送信するステップをさらに含み、前記第一のチャンネルは迅速なページング・チャンネルである付記１４の方法。
[付記１７]  前記同報通信標識ビット・ストリームを送信するステップは、第二のチャンネル上で前記同報通信標識ビット・ストリームを送信するステップをさらに含み、前記第二のチャンネルは前記第一のチャンネルに直交する付記１６の方法。
[付記１８]  ａ）第一の時間スロットの始まりの前にハッシュすることにより前記第一の時間スロット間に送信される同報通信メッセージのカテゴリを決定すること;
ｂ）所定のハッシュ機能を介して同報通信メッセージの前記カテゴリをハッシュすることにより所定の長さの同報通信標識ビット・ストリームに関連するために０以上のビット指数を決定すること;
ｃ）前記ビット指数に位置するビットがオン値に設定され、前記同報通信標識ビット・ストリーム中の他の全てのビットがオフ値に設定される同報通信標識ビット・ストリームを生成すること；
ｄ）入来ページ・ビット・ストリームを生成すること；
ｅ）前記同報通信標識ビット・ストリームを前記入来ページ・ビット・ストリームに被せることにより被覆ビット・ストリームを生成すること；及び
ｆ）前記第一の時間スロットの前に生じる第二の時間スロット間に改良された迅速なページング・チャンネル上で前記被覆ビット・ストリームを送信すること、ここで前記第二の時間スロットは所定の間隔で前記第一の時間スロットに先行する、
を含む拡散スペクトル無線通信システムにおいて同報通信メッセージを送信する方法。
[付記１９]  無線で送信される複数のビット・ストリームを生成するための制御プロセッサ; 
誤り訂正を供与するためにビット・ストリームを畳み込み符号化するための畳み込み符号器; 
前記畳み込み符号器により供給されたビット・ストリーム中のビットをインターリーブするブロック・インターリーブ器；
１以上の情報源から受信された拡散符号を掛け合わせる直交拡散ユニット；
前記直交拡散ユニットにより供給されたビット・ストリームを変調するためのディジタル変調器；
前記ディジタル変調器により供給された変調データ・ビットを無線で送信するためのＲＦ送信器；
前記制御プロセッサ、前記ブロック・インターリーブ器、前記ディジタル変調器、前記直交拡散ユニット、及び前記畳み込み符号器を相互に接続するための双方向バス；
前記ディジタル変調器を前記ＲＦ送信器に接続するためのバス；及び 前記制御プロセッサを前記ＲＦ送信器に接続するための制御線、
を含む同報通信標識ビット・ストリームを送信するための装置。
[付記２０]  制御プロセッサは： 
ａ）第一の時間スロットの始まりの前に前記第1の時間スロット間に送信される同報通信メッセージのカテゴリを決定する; 
ｂ）ステップａ）からの同報通信メッセージの前記所定のカテゴリに基づいて所定の長さの同報通信標識ビット・ストリームに関連するために０以上のビット指数を決定する; 
ｃ）前記ビット指数に位置するビットがオン値に設定され、前記同報通信標識ビット・ストリーム中の他の全てのビットがオフ値に設定される同報通信標識ビット・ストリームを生成する；及び 
ｄ）前記第一の時間スロットの前に前記同報通信標識ビット・ストリームを前記直交拡散ユニットに供給する、ための制御プロセッサである付記１９の装置。
[付記２１]  変調されたデータ・ビットの無線送信を受信するＲＦ受信器；
前記ＲＦ受信器により供給されたビット・ストリームを復調するためのディジタル復調器; 前記ディジタル復調器により供給されたビット・ストリームに拡散符号を掛け合わせる直交拡散ユニット；
前記直交拡散ユニットにより供給されたビット・ストリーム中のビットを逆インタリーブするための逆ブロック・インタリーブ器；
前記逆ブロック・インタリーブ器により供給されたビット・ストリームを畳み込み復号するための畳み込み復号器；
複数のビット・ストリームを受信するための制御プロセッサ; 
前記制御プロセッサ、前記逆ブロック・インタリーブ器、前記ディジタル復調器、前記直交拡散ユニット、及び前記畳み込み復号器を相互に接続するための双方向バス；
前記ディジタル復調器を前記ＲＦ受信器に接続するためのバス；及び 前記制御プロセッサを前記ＲＦ受信器に接続するためのバス、
を含む無線送信を受信するための装置。
[付記２２]  制御プロセッサは： 
ビット指数を決定するために所定のハッシュ機能を介して同報通信メッセージの所望のカテゴリをハッシュすることによりの前記ビット指数にカテゴリを関連させる; 
前記ビット指数に位置する同報通信標識ビット・ストリーム中の１以上のビットを受信するために周期的な基準によってＲＦ受信器を呼び起こす；
前記１以上のビットを受信する; 
前記１以上のビットの各々をオンまたはオフ値と比較する；
前記比較から前記第一の時間スロット後に生じる第二の時間スロットで同報通信メッセージを受信するかどうかを決める際に使用のため第一の時間スロットで符号化ビット・ストリームを続いて受信及び復号するために前記ＲＦ受信器及び前記畳み込み復号器を起動するかどうかを決定する、ための制御プロセッサである付記２１の装置。
【図面の簡単な説明】
【図１】  セルラ電話システムのブロック図である。
【図２】  迅速なページング・チャンネルおよび完全なページング・チャンネル・スロットのタイミングを例示するタイミング図である。
【図３】  ２つの部分の迅速なページング・スロットの典型的な実施例の概要説明図である。
【図４】  本発明の補助チャンネル上で送信されるＮ同報通信カテゴリ標識ビットの概要説明図である。
【図５】  本発明の改良された迅速なページング・チャンネル・スロットの概要説明図である。
【図６】  同報通信カテゴリ通知を送信するために本発明の基地局によって使用される方法の基本的なフローチャートである。
【図７】  同報通信カテゴリ通知を受信するために本発明の基地局によって使用される方法の基本的なフローチャートである。
【図８】  関連しているＧＰＭへの改良された迅速なページング・スロット間の時間関係及び関連の図である。
【図９】  従来の迅速なページング・スロットと、関係しているＧＰＭへの本発明の新しい順方向同報通信標識チャンネル・スロットの時間関係及び関連の図である。
【図１０】  本発明の一実施例に従って構成された遠隔局の簡略化された実例を示すブロック図である。
【図１１】  本発明の一実施例に従って構成された基地局の簡略化された実例を示すブロック図である。
【符号の説明】
１０…遠隔局  １２…基地局
【図１】
0004689925.tif 000002
【図２】
0004689925.tif 000003
【図３】
0004689925.tif 000004
【図４】
0004689925.tif 000005
【図５】
0004689925.tif 000006
【図６】
0004689925.tif 000007
【図７】
0004689925.tif 000008
【図８】
0004689925.tif 000009
【図９】
0004689925.tif 000010
【図１０】
0004689925.tif 000011
【図１１】
0004689925.tif 000012